(57)【要約】【課題】部品点数が少なくて済み、構造を簡素なものとし、且つ安価に構成できて、アンテナ本来の機能を有するとともに、特別な手段を設けなくても、携帯電話機本体を自立状態の維持し得るようにした携帯電話機を提案する。【解決手段】携帯電話機本体と、該携帯電話機本体に取付けたスタンド機能を有するアンテナと、を具備し、アンテナは、少なくとも収納位置、スタンド機能位置、アンテナ機能位置の３つの位置をとれるように可動に携帯電話機本体に可動に取付けられることを特徴とする。【選択図】　　　図２
2004056385.tif 000002
【特許請求の範囲】
【請求項１】
携帯電話機本体と、該携帯電話機本体に取付けたスタンド機能を有するアンテナと、を具備することを特徴とする携帯電話機。
【請求項２】
アンテナは、少なくとも収納位置、スタンド機能位置、アンテナ機能位置の３つの位置をとれるように携帯電話機本体に可動に取付けられていることを特徴とする請求項１に記載の携帯電話機。
【請求項３】
アンテナは、その長手方向の一端が、携帯電話機本体の裏面の上部中央に、回転可能に取付けられていることを特徴とする請求項１又は２に記載の携帯電話機。
【発明の詳細な説明】
【０００１】
【発明の属する技術分野】
本発明は携帯電話機に関し、特にスタンドを兼用したアンテナを具備する携帯電話機に関する。
【０００２】
【従来の技術】
従来、携帯電話機におけるアンテナは、通信時の電波受信感度を高めるためのものであり、その感度をより向上させるために、携帯電話機本体に対して出し入れ可能に構成されている。
【０００３】
しかしながら、従来の携帯電話機のアンテナは、その目的のためのみ使用されるものであった。一方で、本体に特別のスタンド等を具備していない従来の携帯電話機にあっては、机等の上に置いたまま着信履歴などを確認する場合には、携帯電話機本体を充電スタンド等に設置しないと、使用者から携帯電話機本体の液晶表示部を見ずらいという問題があった。
【０００４】
この問題を解決するために、従来、携帯電話機本体にスタンドを設け、携帯電話機を傾斜ないし自立した状態に維持させるようにすることが提案されている。
【０００５】
このように携帯電話機本体にスタンドを設けた従来技術として、次のようなものがある。
【０００６】
特開平９−３２１８５２号公報では、携帯通信機の筐体が大型化することなくアンテナ偏波面が垂直となるよう自立可能とするため、携帯通信機の底部にスタンド足を出入り可能に設け、スタンド足を取り出し時に自立可能とした携帯通信機が開示されている。この携帯電話機は、スタンドを用いて本体を自立させた時、アンテナ偏波面が垂直な状態となり、水平な状態で机等の上に置いた時と比べてアンテナの感度を良くすることができる。
【０００７】
また、特開平５−２１９１６６号公報では、待ち受け時でも、アンテナ感度を低下することなく、待ち受けができ、待ち受け以外の時でも、無線機本体を自立させることにより、置き場のスペースも小さくて済むようにするため、スタンドを携帯電話機本体の所定の位置に回動可能に取り付け、無線機本体を立てる時にこのスタンドにて無線機本体を支持するようにしたスタンド付き無線機が提案されている。
【０００８】
更にまた、登録実用新案第３０５０９８１号公報によると、携帯時、また、机上等へ置いた場合、更には通信状態の良くない場所での使用の際も、電波の送受信感度を良好に保つために、アンテナが根元に回動および折り曲げ自在なジョイントを設けていると共にジョイント上部にＬ字状部が設けられている携帯電話機が提案されている。
【０００９】
【発明が解決しようとする課題】
このように、従来の携帯電話機のアンテナは、通信時の電波受信感度を高めるためにのみ使用されるものであった。充電スタンド等を使用せずに携帯電話機の本体を机上等で傾斜ないし自立した状態に維持させるようにするために、携帯電話機本体にスタンド等を設けたものは知られているが、この場合のスタンドはその目的のためにのみ使用されるもので、アンテナとスタンドの両方の機能を兼ねたものがなく、そのための部品点数が多くなり、構造が煩雑で、価格も増加することとなっていた。
【００１０】
ちなみに、特開平９−３２１８５２号公報又は特開平５−２１９１６６号公報に記載されている携帯電話機では、上述のように、アンテナとスタンドとはそれぞれ別個に設けられ、部品点数が多く、構造が煩雑であった。また、登録実用新案第３０５０９８１号公報に記載されている携帯電話機は、アンテナ自体が何らスタンドとしての機能を有するものでない。
【００１１】
そこで、本発明では、部品点数が少なくて済み、構造を簡素なものとし、且つ安価に構成できて、アンテナ本来の機能を有するとともに、特別な手段を設けなくても、携帯電話機本体を自立状態の維持し得るようにした携帯電話機を提案することを課題とする。
【００１２】
【課題を解決するための手段】
上記の課題を達成するために、本発明によれば、携帯電話機本体と、該携帯電話機本体に取付けたスタンド機能を有するアンテナと、を具備することを特徴とする携帯電話機が提供される。
【００１３】
アンテナは、少なくとも収納位置、スタンド機能位置、アンテナ機能位置の３つの位置をとれるように可動に携帯電話機本体に取付けられることを特徴とする。アンテナは、その長手方向の一端が、携帯電話機本体の裏面の上部中央に、回転可能に取付けられることを特徴とする。
【００１４】
アンテナが携帯電話機本体に対して回転される際に、その回転に摩擦力を付加する手段を設けたことを特徴とする。これにより、アンテナが携帯電話機本体に対して任意の位置に固定できるようにされる。
【００１５】
アンテナが収納位置にある時、アンテナは携帯電話機本体の裏面に設けられた溝の中に収納されて、該裏面と略同一面を形成するようにされ、アンテナがスタンド機能位置にある時、アンテナは携帯電話機本体に対して傾斜位置に保持され、携帯電話機を水平な机面等の上に設置した時携帯電話機本体の表示部が傾斜した状態に維持され、アンテナがアンテナ機能位置にある時、アンテナを携帯電話機本体から本体の長手方向に延長するように略直線状に延ばされて、電波の受信感度を高めた状態とされる。
【００１６】
【発明の実施の形態】
以下、添付図面を参照して本発明の実施の形態について詳細に説明する。
【００１７】
図１は本発明の１実施形態に係る携帯電話機のアンテナ収納時における正面図（ａ）、側面図（ｂ）、裏面図（ｃ）である。携帯電話機の本体１は、表面側の上部に受話口２、下部に送話口３があり、その間の領域の上部に液晶表示部４、下部に各種操作入力ボタン類５が配置されている。
【００１８】
携帯電話機の本体１を側面から見ると、本体１は、表面側の筐体６と裏面側の筐体７とが一体的に結合されている。
【００１９】
携帯電話機の本体１の裏面は、その下部領域に電池パック８が着脱可能に装着されている。携帯電話機の本体１の裏面の上部中央に、携帯電話機の本体１に対して上下方向にアンテナ１０が取付けられている。即ち、帯板状のアンテナ１０の一端１０ａが本体１の裏面上端７ａの中央位置に回転可能に取付けられ、図１（ｃ）に示す収納状態では、アンテナ１０が裏面側の筐体７の上部領域に上下方向に設けられた溝１１の中に収納されていて、アンテナ１０の面が本体の背面と略同一面となるようにされている。
【００２０】
図２は本発明の１実施形態に係る携帯電話機の側面図であって、スタンド機能時（ａ）および通話時（ｂ）をそれぞれ示す。
【００２１】
アンテナ１０は帯板状であって、少なくとも収納位置、スタンド機能位置、アンテナ機能位置の３つの位置をとれるように、その一端１０ａが本体１の裏面の上部中央の位置に回転可能に取付けられている。
【００２２】
したがって、アンテナ１０をスタンド機能位置にしたい場合は、アンテナ１０を回転させて、図２（ａ）に示すように、アンテナ１０を携帯電話機の本体１に対して所定の角度（例えば６０°）の傾斜位置とする。また、通話時等において、電波受発信感度を高めるべくアンテナ１０をアンテナ機能位置とする場合は、図２（ｂ）に示すように、アンテナ１０を収納位置（０°）に対し約１６０°〜１８０°回転させてアンテナ１０の自由端１０ｂ側を携帯電話機本体１の上部から本体１の長手方向に略直線状となる外側方向に延ばす。
【００２３】
アンテナ１０をスタンド機能位置とする場合において、アンテナ１０を任意の角度の位置に固定できるようにすることも可能であり、また、矢印Ｂで示すように多段階の角度位置に固定できるようにすることも可能である。
【００２４】
図３は本発明の１実施形態に係る携帯電話機の側面図であって、スタンド機能時において机上等の水平面１５に置いた状態を示す。この状態では、携帯電話機本体１の裏面の下端７ｂとアンテナ１０の自由端１０ｂとが机面１０上に接触する。本体１の裏面の下端７ｂは本体１の幅に略相当する一定の幅を有し、また、アンテナ１０もその断面が矩形状で一定幅を有するので、携帯電話機本体１を机１５等の上に安定して保持することができる。
【００２５】
アンテナ１０を任意の角度に固定する場合のその角度を調整することにより、或いはアンテナ１０を多段階の角度位置に固定できるようにすることにより、携帯電話機の本体１の表示部４を机面１５に対して所望の傾斜角度として、使用者から表示部４を見易い角度とすることができる。
【００２６】
図４は、本発明の１実施形態に係るアンテナ部の回動機構部を示し、（ａ）は側面図、（ｂ）は平面図、（ｃ）は（ｂ）のＡ部の拡大図である。
【００２７】
アンテナ１０は前述のように断面が矩形状の帯板であって、その長さは、携帯電話機本体の上下方向の長さに対し、約１／２程度の寸法を有する。また、アンテナ１０は、詳細には図示していないが、その断面が矩形の鉄芯の周囲を硬質ゴムで覆ったものである。
【００２８】
アンテナの１０はその一端１０ａが、アンテナ１０の長さ方向と直交する幅方向に設けられたステー（軸部材）２１に固定されており、このステー２１の円形断面の軸部分がＬ型金具２４の一方の片に設けられた取付孔に通され、波ワッシャ２２をこの軸部分に嵌め、Ｅリング２３を軸部分のリング溝（図示せず）にはめ込むことにより、波ワッシャ２２をＬ型金具２４とＥリング２３との間に挟み込んでアンテナ１０とＬ型金具２４とを結合する。これにより、アンテナ１０はＬ型金具２４に対して回転可能に結合され、且つ波ワッシャ２２によりアンテナ１０がＬ型金具２４に対して回転する際の摩擦力が付加される。
【００２９】
アンテナ１０とＬ型金具２４とが一体的に結合されたアンテナユニットを携帯電話機本体１の内部にこの本体１の表面、裏面と略平行に固定して設置された基板３０に固定するために、基板３０の側にねじ孔が設けてあり、一方、Ｌ型金具２４の他方の片に取付孔が設けられている。したがってねじ２５を用いてアンテナユニットを基板に結合する。これにより、アンテナ１０は基板３０に対して回転可能に結合されることとなる。
【００３０】
上記のように、ステー２１の軸部分とＬ型金具２４との間には波ワッシャ２２が設けられているので、アンテナ１０が基板３０、即ち携帯電話機本体１に対して回転する際に摩擦力が加わるので、アンテナ１０を携帯電話機本体１に対して回転させた後任意の角度位置に固定することができる。
【００３１】
この場合において、例えば波ワッシャ２２をステー２１の軸部分に対して互いに回転しないように固定的に取付け、Ｌ型金具２４の波ワッシャ２２と接触する部分に適当な突起（図示せず）を設けることにより、回転の際にかかる摩擦力が変化しアンテナ１０を携帯電話機本体１に対して多段階の角度位置に固定することができる。
【００３２】
アンテナ１０の収納位置において、アンテナ１０は携帯電話機本体１の裏面側筐体７に形成された溝１１の中に収容される。この時、アンテナ１０の面が、本体１の裏面と略同一面を形成するようになっている。従って、非使用時においてアンテナ１０が本体１の外面から突出することはなく、違和感がないようにされている。アンテナ１０の一端１０ａのステー２１は、溝１１の中にあって、アンテナ１０を開いた状態で外部から見える位置にあるが、基板３０に固定されているＬ型金具２４は携帯電話機本体１の筐体６、７の内部に収容されていて、外部からは見えない位置にある。
【００３３】
アンテナ１０がスタンド機能位置にある時、アンテナ１１は携帯電話機本体に対して傾斜位置に保持される。従って携帯電話機本体１を水平な机面１５等の上に設置した時携帯電話機本体１の液晶表示部４が傾斜した状態に維持され、使用者から見やすい位置とすることが出来る。アンテナ１０がアンテナ機能位置にある時、前述のように、アンテナ１０を携帯電話機本体１から伸びの方向に略直線状にされ、電波受信感度を高めた状態とされる。
【００３４】
ステー（軸部材）２１、Ｌ型金具２４等は導電体であって、アンテナ１０は基板３０の送受信回路（図示せず）に接続されていることは言うまでもない。
【００３５】
以上添付図面を参照して本発明の実施の形態について説明したが、本発明は上記の実施の形態に限定されるものではなく、本発明の精神ないし範囲内において種々の形態、変形、修正等が可能である。
（付記１）　携帯電話機本体と、該携帯電話機本体に取付けたスタンド機能を有するアンテナと、を具備することを特徴とする携帯電話機。（１）
（付記２）　アンテナは、少なくとも収納位置、スタンド機能位置、アンテナ機能位置の３つの位置をとれるように可動に携帯電話機本体に取付けられていることを特徴とする付記１に記載の携帯電話機。（２）
（付記３）　アンテナは、その長手方向の一端が、携帯電話機本体の裏面の上部中央に、回転可能に取付けられていることを特徴とする付記１又は２に記載の携帯電話機。（３）
（付記４）　アンテナが携帯電話機本体に対して回転される際に、その回転に摩擦力を付加する手段を設けたことを特徴とする付記３に記載の携帯電話機。
（付記５）　アンテナが携帯電話機本体に対して多段階の位置に固定できることを特徴とする付記２〜４のいずれかに記載の携帯電話機。
（付記６）　アンテナが収納位置にある時、アンテナは携帯電話機本体の裏面に上下方向に設けた溝の中に収納され、携帯電話機本体の裏面と略同一の面を形成することを特徴とする付記２〜５に記載の携帯電話機。
【００３６】
【発明の効果】
以上説明したように、本発明の携帯電話機は、携帯電話機本体と、該携帯電話機本体に取付けたスタンド機能を有するアンテナと、を具備するので、アンテナは、アンテナ本来の機能を有するとともに、特別な手段を設けなくても、携帯電話機本体を自立状態の維持させることができ、部品点数が少なくて済み、構造を簡素なものとし、且つ安価にスタンド付き携帯電話機を提供できる。
【図面の簡単な説明】
【図１】本発明の実施形態に係る携帯電話機のアンテナ収納時の正面図（ａ）、側面図（ｂ）、裏面図（ｃ）である。
【図２】本発明の実施形態に係る携帯電話機の側面図であって、スタンド機能時（ａ）および通話時（ｂ）をそれぞれ示す。
【図３】本発明の実施形態に係る携帯電話機の側面図であって、スタンド機能時（ａ）において携帯電話機を机上等に置いた状態を示す。
【図４】本発明の実施形態に係るアンテナ部の回動機構部の側面図（ａ）、平面図（ｂ）、Ａ部の拡大図（ｃ）である。
【符号の説明】
１…携帯電話機本体
２…受話口
３…送話口
４…液晶表示部
５…ボタン類
６、７…筐体
１０…アンテナ
１１…溝
２１…ステー（軸部材）
２２…波ワッシャ
２３…Ｅリング
２４…Ｌ型金具
２５…取付ねじ
【図１】
2004056385.tif 000003
【図２】
2004056385.tif 000004
【図３】
2004056385.tif 000005
【図４】
2004056385.tif 000006